(57)【要約】    補助広告装置１００、２００を開示する。この補助広告装置は、新聞、生活情報紙、電話番号簿のような図書のカバー、袋型包装紙、ボックス型包装紙、またはボールペンのような筆記具に装着されるフレーム１１０、２１０と、補助広告内容を含み、前記フレーム１１０、２１０から連続して巻き出されてからロール状に巻き取られる補助広告シート２３０とを備えることにより、紙面の限界を克服することができ、消費者の好奇心を起こして広告の効果を極大化する。【選択図】  図２
2008544324.tif 000002
【特許請求の範囲】
【請求項１】
文書、絵画または写真などの著作物が印刷され、一側に綴込み部を備える本体と、前記本体の表面、背面及び前記綴込み部を仕上げるカバーとを含む出版物用補助広告装置において、
前記綴込み部と前記カバーとの間に設けられる少なくとも一つのフレームであって、垂直管状を有し、一端から他端まで出入孔が形成されたハウジング、及び前記ハウジングの両側開放端を閉塞するフランジを有するフレームと；
前記ハウジングの内側に配置され、両端が前記フランジに固定支持される弾性支持体、及び前記弾性支持体に巻き取られた状態で前記ハウジングの内側に配置され、選択的に前記ハウジングの外部に巻き出されるか、前記弾性支持体に巻き取られるシートを有する補助広告シートを有する補助広告シートと；を含んでなることを特徴とする補助広告装置。
【請求項２】
前記弾性支持体は弾性力を有する通常のゴムひもでなり、前記弾性支持体の中央部には、前記シートが容易に巻き取られるように、屈曲板状の連結具が一体的に形成されることを特徴とする請求項１に記載の補助広告装置。
【請求項３】
前記シートの一端には、前記連結具に熱融着される連結リブが一体的に形成され、前記シートの他端には、前記カバーの外側面上に配置されるタグが一体的に形成され、前記カバーには、前記シートが貫通するよう貫通孔が形成されることを特徴とする請求項１または２に記載の補助広告装置。
【請求項４】
前記補助広告装置は、前記綴込み部と向かい合う前記カバーの外側に一つ以上配置されることを特徴とする請求項１または２に記載の補助広告装置。
【請求項５】
広告対象物に固定装着される垂直バー、前記垂直バーの両端に一体的に形成される水平バー、及び一方向に巻き取られた状態で、前記水平バー間に固定配置される弾性支持体を有するフレームと；
補助広告内容が記載され、前記弾性支持体から連続して巻き出されてからロール状に巻き取られるシートを有する補助広告シートと；を含んでなることを特徴とする補助広告装置。
【請求項６】
前記水平バーには、前記弾性支持体の両端が固定されるように、それぞれ固定孔が形成され、前記弾性支持体は弾性復元力に優れたゴムひもでなることを特徴とする請求項５に記載の補助広告装置。
【請求項７】
前記シートは前記水平バー間の幅より小さい幅を持って伸びており、一端は前記弾性支持体に接着されるとともに前記弾性支持体に巻き取られ、前記シートの他端には、前記シートを容易に巻き出すために、タグが装着されることを特徴とする請求項５または６に記載の補助広告装置。
【請求項８】
前記タグが前記シートとともに前記弾性支持体に巻き取られないように、前記タグの一側面の中央部が前記シートの他端に垂直に接着されることを特徴とする請求項７に記載の補助広告装置。
【請求項９】
前記補助広告装置は前記広告対象物に一つ以上装着され、前記広告対象物は、新聞のような生活情報紙、電話番号簿、袋型包装紙、ボックス型包装紙、筆記具及び出版物のいずれか一つであることを特徴とする請求項５に記載の補助広告装置。
【請求項１０】
前記補助広告装置は、前記生活情報紙、前記電話番号簿、前記袋型包装紙、または前記ボックス型包装紙の余白部、及び前記筆記具の外側に装着されることを特徴とする請求項９に記載の補助広告装置。
【請求項１１】
前記補助広告装置は、前記生活情報紙または前記電話番号簿のボックス型広告の一側に装着され、前記ボックス型広告の広告内容を補充することを特徴とする請求項９に記載の補助広告装置。
【請求項１２】
多数の前記補助広告装置を前記生活情報紙に付着するために、前記補助広告装置の生活情報紙間には別の接着紙が設けられることを特徴とする請求項５または９に記載の補助広告装置。
【請求項１３】
前記補助広告装置は、出版物の綴込み部に別のケーシングが設けられ、前記シートが前記ケーシングを出入することができるように装着されることを特徴とする請求項５または９に記載の補助広告装置。
【発明の詳細な説明】
【技術分野】
【０００１】
本発明は、新聞、生活情報紙、本、包装紙、筆記具などに装着される補助広告装置に関するもので、より詳しくは、フレームと、広告内容または本の要約内容が記載され、フレームから連続して巻き出されてからロール状に巻き取られる補助広告シートとを備えることにより、紙面の限界を克服することができ、消費者の好奇心を起させて広告の効果を極大化することができる補助広告装置に関するものである。
【背景技術】
【０００２】
一般に、新聞のような日刊紙、特に生活情報紙、かつ電話番号簿のような図書及び多様な出版物は、忙しく暮らしている現代人に多様な情報及び有益な情報などを提供する。その代表的な例として、生活情報紙及び電話番号簿には多数のボックス型広告が掲載される。
【０００３】
前述したボックス型広告は、限定された紙面上に多数の広告を掲載しなければならないため、広告主の商号と代表電話番号のみを記載している実状である。
【０００４】
最近のボックス型広告は、消費者の視線及び関心を引くために、多様な色相及び多様なデザインに開発されているが、このようなボックス型広告は二次元的広告形態から免れることができない実情である。
【０００５】
また、出版物も古典的な形態から免れることができないだけでなく、出版物の概略的な内容を確認するために、本の紙葉を直接捲りながら確認しなければならない実情である。
【発明の開示】
【発明が解決しようとする課題】
【０００６】
したがって、本発明は前記のような問題点を解決するためになされたもので、本発明の目的は、本の接合面または巻頭部に装着されるフレームと、広告内容または本の要約内容が記載され、フレームから連続して解けるかフレームに巻き取られる補助広告シートを備えることにより、紙面の限界を克服することができ、消費者の好奇心を起して広告の効果を極大化することができる補助広告装置を提供することにある。
【課題を解決するための手段】
【０００７】
前記のような本発明の目的を達成するために、本発明は、文書、絵画または写真などの著作物が印刷され、一側に綴込み部を備える本体と、前記本体の表面、背面及び前記綴込み部を仕上げるカバーとを含む出版物用補助広告装置を提供する。前記綴込み部と前記カバーとの間には、カバーの外部に出入するように、一つ以上の補助広告装置が配置される。各補助広告装置には本文内容が印刷される。
【０００８】
各補助広告装置は、フレーム及び補助広告シートを含む。前記フレームは、垂直管状を有し、一端から他端まで出入孔が形成されたハウジング、及び前記ハウジングの両側開放端を閉塞するフランジを有する。前記補助広告シートは、前記ハウジングの内側に配置され、両端が前記フランジに固定支持される弾性支持体、及び前記弾性支持体に巻き取られた状態で、前記ハウジングの内側に配置され、選択的に前記ハウジングの外部に巻き出されるか、前記弾性支持体に巻き取られるシートを含む。
【０００９】
また、本発明は、広告対象物に固定装着される垂直バー、前記垂直バーの両端に一体的に形成される水平バー、及び一方向に巻き取られた状態で、前記水平バー間に固定配置される弾性支持体を有するフレームと、補助広告内容が記載され、前記弾性支持体から連続して巻き出されるか、ロール状に巻き取られるシートを有する補助広告シートとを含んでなる補助広告装置を提供する。
【００１０】
好ましくは、前記水平バーには、前記弾性支持体の両端が固定されるように、それぞれ固定孔が形成され、前記弾性支持体は弾性復元力に優れたゴムひもでなる。
【００１１】
また、前記シートは、前記水平バー間の幅より小さい幅を持って伸び、一端は前記弾性支持体に接着されるとともに前記弾性支持体に巻き取られ、前記シートの他端には、前記シートを容易に巻き出すために、タグが装着される。
【発明を実施するための最良の形態】
【００１２】
以下、添付図面に基づいて、本発明の好適な実施例による補助広告装置を説明する。
【００１３】
図１は本発明の第１実施例による補助広告装置を内蔵する出版物を示す斜視図である。
【００１４】
図１を参照すれば、本発明による出版物１０は、文書、絵画、写真などの著作物が印刷されており、一側に綴込み部２２が設けられた本体２０と、前記本体２０の表面、背面及び綴込み部２２を仕上げるカバー３０と、本体２０の綴込み部２２とカバー３０との間に一つ以上配置され、カバー３０の外部に出入する補助広告装置１００とを含む。
【００１５】
図２は図１に示す補助広告装置の分解斜視図、図３は図１の線Ａ−Ａに沿って取った断面図、図４は図１の線Ｂ−Ｂに沿って取った断面図である。
【００１６】
図２ないし図４を参照すれば、補助広告装置１００は、綴込み部２２の外側とカバー３０の内側との間に配置されるフレーム１１０と、フレーム１１０内に配置され、フレーム１１０の外部に出入する補助広告シート１２０とを含む。
【００１７】
まず、フレーム１１０は、垂直管状のハウジング１１２と、ハウジング１１２の開放した両端を閉塞するフランジ１１４とを備えている。この際、ハウジング１１２の一側には、カバー３０の内面と向かい合う出入孔１１６が形成される。このような出入孔１１６は、ハウジング１１２の一端から多端まで延設される。このように形成されたフレーム１１０のハウジング１１２内には補助広告シート１２０が配置される。
【００１８】
補助広告シート１２０は、ハウジング１１２の内側に配置される弾性支持体１２２と、弾性支持体１２２に巻き取られた状態で、ハウジング１１２の内側に配置され、選択的にハウジング１１２及びカバー３０の外部に巻き出されるか、または弾性支持体１２２に巻き取られるシート１２４とを備えている。
【００１９】
弾性支持体１２２は弾性力を有する通常のゴムひもからなり、弾性支持体１２２の一端及び他端は、向かい合うフランジ１１４の内側面に固定支持される。この際、弾性支持体１２２の中央部には、屈曲板状の連結具１２６が一体的に形成される。好ましくは、向かい合うフランジ１１４に固定支持された弾性支持体１２２は一方向に巻き取られた状態を維持する。
【００２０】
一方、シート１２４は、出版物１０の本体１０の内容が全部記録されるか、または本体２０の内容が要約されるか、または広告内容が記載されるもので、弾性支持体１２２に巻き取られる。このような記録紙１２４の一端には、弾性支持体１２２に円滑に巻き取られるかまたは巻き出されるような屈曲板状の連結リブ１２８が一体的に形成される。連結リブ１２８の内側曲率は連結リブ１２６の外周面と同一の曲率を有し、通常の方法で熱融着される。好ましくは、連結リブ１２８と連結具１２６は通常のクリップまたは通常の接着剤などによって連結可能である。
【００２１】
また、シート１２４の他端には、カバー３０の外側面上に配置されるタグ１３０が一体的に形成される。すなわち、タグ１３０は、シート１２４が全部ハウジング１１６の内側に巻き込まれてしまうことを防止する。一方、シート１２４がカバー３０を貫通することができるように、カバー３０には、ハウジング１１２の出入孔１１６に対応する貫通孔３２が形成される。
【００２２】
図５は図２に示す補助広告装置が出版物の外部に装着された状態を示す斜視図である。
【００２３】
同図に示すように、本発明による補助広告装置１００は、綴込み部２２と向かい合うカバー３０の外側面上に一つ以上装着できる。
【００２４】
以下、このように形成される補助広告装置１００の作動状態を簡略に説明する。
【００２５】
図６は本発明による補助広告装置が装着された出版物の使用状態を示す図である。同図に示すように、陳列棚に陳列された出版物１０の本体２０の内容を確認するために、読者はタグ１３０をカバー３０の外部に引き出す。このようにタグ１３０を引き出すと、シート１２４は弾性支持体１２２から巻き出され、ハウジング１１２の出入孔１１６及びカバー３０の貫通孔３２を通じてカバー３０の外部に露出される。この際、両端がフランジ１１４に固定された弾性支持体１２２は、巻き出されるシート１２４によって一方向に回転しながら巻き取られることになる。
【００２６】
このような状態で、読者が出版物１０の内容を確認した後、タグ１３０を摘んでいる力を排除すれば、一方向に巻き取られた状態にある弾性支持体１２２が他方向に回転し、その結果として、カバー３０の外部に露出されたシート１２４がハウジング１１２の内側に案内されるとともに、他方向に回転する弾性支持体１２２に巻き取られ、タグ１３０はカバー３０の外側に密着する。
【００２７】
図７は本発明の第２実施例による補助広告装置を示す斜視図、図８は図７に示す補助広告装置の結合状態を示す図である。
【００２８】
図７及び図８を参照すれば、本発明による補助広告装置２００は、フレーム２１０と、補助広告内容が記載され、フレーム１１０から連続して巻き出されてからロール状に巻き取られる補助広告シート２３０とを備えている。
【００２９】
フレーム２１０は、垂直バー２１２と、垂直バー２１２の両端に一体的に形成される水平バー２１４と、水平バー２１４間に固定配置される弾性支持体２１８とを備えている。
【００３０】
垂直バー２１２及び水平バー２１４は薄板状に製作されることが好ましい。より好ましくは、垂直バー２１２及び水平バー２１４は円筒状に製作できる。
【００３１】
水平バー２１４は、垂直バー２１２の長手方向に対して垂直に、垂直バー２１２の一側に伸びている。すなわち、垂直バー２１２とそれぞれの水平バー２１４は“］”字形を有する。このような水平バー２１４には、弾性支持体２１８の両端が固定されるように、それぞれ固定孔２１６が形成される。
【００３２】
弾性支持体２１８は、弾性復元力に優れた通常のゴムひもでなる。このような弾性支持体２１８の一端はいずれか一つの水平バー２１４の固定孔２１６に固定され、弾性支持体２１８の他端は他の水平バー２１４の固定孔２１６に固定される。この際、弾性支持体２１８は、弾性復元力を高めるために、一方向に１２〜１３回巻き取られたままで、両端が水平バー２１４の固定孔２１６に固定される。好ましくは、弾性支持体２１８の両端は、それぞれの固定孔２１６に結び目の形態に固定装着されるか、またはそれぞれの固定孔２１６を貫通した状態で通常の接着剤で接着固定できる。このように形成されたフレーム１１０には補助広告シート２３０が装着される。
【００３３】
補助広告シート２３０は多様な広告文または広告用絵が示されているシート２３２を含む。このシート２３２は水平バー２１４間の幅より小さい幅を持って伸びている。このようなシート２３２の一端は弾性支持体２１８に接着され、弾性支持体２１８上に巻き取られる。
【００３４】
弾性支持体２１８に巻き取られたシート２３２の他端には、補助広告シート２３０を容易に巻き出すために、タグ２３４が装着される。このようなタグ２３４は、シート２３２とともに弾性支持体２１８に巻き取られないように、タグ２３２の一側面の中央部がシート２３２の他端に垂直に接着される。この際、タグ２３４は、水平バー２１４の長さより長く製作されることが好ましい。
【００３５】
以下、前述したように形成された補助広告装置２００の使用状態を簡略に説明する。
【００３６】
図９ないし図１５は図７に示す補助広告装置が装着された状態を示す図である。
【００３７】
図９ないし図１５を参照すれば、本発明による補助広告装置２００の補助広告シート２３０に広告物の内容を記載した状態で、フレーム２１０の垂直バー２１２は、広告対象物Ｃ、Ｄ、Ｅ、Ｆ、Ｇ、Ｈ、つまり新聞のような生活情報紙Ｃ（図９及び図１０参照）、図書、特に電話番号簿Ｄ（図１１参照）、袋型包装紙Ｅ（図１２参照）、ボックス型包装紙Ｇ（図１３参照）、またはボールペンのような筆記具Ｈ（図１４参照）などの余白部に固定装着される。この際、補助広告装置２００は筆記具Ｈの外側に装着される。好ましくは、フレーム２１０は通常の接着剤などを用いて接着する。
【００３８】
このように、補助広告シート２３０が巻き取られたフレーム２１０が広告対象物Ｃ、Ｄ、Ｅ、Ｆ、Ｇ、Ｈに装着されて消費者に伝達されれば、消費者は広告内容物を確認するためにタグ２３４を引き出す。この際、シート２３２は弾性支持体２１８を一方向に巻き取られるように回転させながら巻き出される。その結果、消費者は補助広告シート２３０に記載された広告内容を確認することができることになる。
【００３９】
シート２３２に記録された内容の確認が済むと、消費者は摘んでいるタグ２３４を放すことになる。この際、シート２３２は弾性支持体２１８の復元力によって弾性支持体２１８に巻き取られ、タグ２３４はフレーム２１０上に密着することになる。
【００４０】
一方、図１０に示すように、補助広告装置２００は、多数の補助広告装置２００を付着するために、フレーム２１０の垂直バー２１２と生活情報紙Ｃとの間に別の接着紙２４０を備えることができる。接着紙２４０及び垂直バー２１２、又は接着紙２４０及び生活情報紙Ｃは通常の接着剤によって接着固定できる。
【００４１】
また、図１１に示すように、補助広告装置２００は、電話番号簿Ｄのボックス型広告の一側に装着されて、ボックス型広告の内容を補充することができる。好ましくは、生活情報紙Ｃのボックス型広告の一側に装着できる。この際、ボックス型広告の一側にはフレーム２１０またはタグ２３４のいずれか一方が装着される。
【００４２】
一方、図１５に示すように、補助広告装置２００は出版物の綴込み部２２に別のケーシング２５０を備えたもので、補助広告シート２３０のシート２３２が出入可能に装着できる。この際、フレーム２１０またはタグ２３４はカバー２５０に接着されていない状態で配置される。
【００４３】
以上説明したように、本発明による補助広告装置１００、２００は、新聞のような生活情報紙Ｃ、図書、特に電話番号簿Ｄ、袋型包装紙Ｅ、またはボックス型包装紙Ｆなどに固定装着されるフレーム１１０、２１０と、補助広告内容が記載され、フレーム１１０、２１０から連続して巻き出されてからロール状に巻き取られる補助広告シート２３０とを備えることにより、広告対象物Ｃ、Ｄ、Ｅ、Ｆの紙面限界を克服することができ、消費者の好奇心を起して広告効果を極大化することができる。
【００４４】
以上、本発明の好適な実施例を参照して本発明を説明したが、当該技術分野の当業者であれば、特許請求範囲に記載された本発明の思想及び領域から逸脱しない範囲内で、本発明を多様に修正または変更することができることが理解可能であろう。
【図面の簡単な説明】
【００４５】
【図１】図１は本発明の第１実施例による補助広告装置を内蔵する出版物を示す斜視図である。
【図２】図２は図１に示す補助広告装置の分解斜視図である。
【図３】図３は図１の線Ａ−Ａに沿って取った断面図である。
【図４】図４は図１の線Ｂ−Ｂに沿って取った断面図である。
【図５】図５は図２に示す補助広告装置が出版物の外部に装着された状態を示す斜視図である。
【図６】図６は本発明による補助広告装置が装着された出版物の使用状態を示す図である。
【図７】図７は本発明の第２実施例による補助広告装置を示す斜視図である。
【図８】図８は図７に示す補助広告装置の結合状態を示す図である。
【図９】図９は図７に示す補助広告装置が装着された状態を示す図である。
【図１０】図１０は図７に示す補助広告装置が装着された状態を示す図である。
【図１１】図１１は図７に示す補助広告装置が装着された状態を示す図である。
【図１２】図１２は図７に示す補助広告装置が装着された状態を示す図である。
【図１３】図１３は図７に示す補助広告装置が装着された状態を示す図である。
【図１４】図１４は図７に示す補助広告装置が装着された状態を示す図である。
【図１５】図１５は図７に示す補助広告装置が装着された状態を示す図である。
【図１】
2008544324.tif 000003
【図２】
2008544324.tif 000004
【図３】
2008544324.tif 000005
【図４】
2008544324.tif 000006
【図５】
2008544324.tif 000007
【図６】
2008544324.tif 000008
【図７】
2008544324.tif 000009
【図８】
2008544324.tif 000010
【図９】
2008544324.tif 000011
【図１０】
2008544324.tif 000012
【図１１】
2008544324.tif 000013
【図１２】
2008544324.tif 000014
【図１３】
2008544324.tif 000015
【図１４】
2008544324.tif 000016
【図１５】
2008544324.tif 000017
【国際調査報告】
2008544324.tif 000018
2008544324.tif 000019
2008544324.tif 000020